(57)【特許請求の範囲】
【請求項１】
枠体と前記枠体の内側に張設される網とを有する網戸に対し、前記枠体の幅方向に延在して取り付けられる棒状体と、
前記棒状体の幅方向両端部に設けられ、前記枠体の周縁の一部に対し着脱可能な一対の支持部と、を有し、
前記棒状体には、前記網に対向する第１面が形成され、
前記第１面の少なくとも一部は前記網に面接触し、
前記第１面は、断面視でその中間部が前記網側に膨出する凸状曲面に形成され、前記網を押圧する、
網戸用補助具。
【請求項２】
枠体と前記枠体の内側に張設される網とを有する網戸に対し、前記枠体の幅方向に延在して取り付けられる棒状体と、
前記棒状体の幅方向両端部に設けられ、前記枠体の周縁の一部に対し着脱可能な一対の支持部と、を有し、
前記棒状体には、前記網に対向する第１面が形成され、
前記第１面の少なくとも一部は前記網に面接触し、
前記第１面の表面には、クッション体が貼設され、
前記第１面は、前記クッション体を介して前記網に面接触する、
網戸用補助具。
【発明の詳細な説明】
【技術分野】
【０００１】
本発明は、枠体と枠体の内側に貼り付けられる網とを有する網戸に取り付けられる網戸用補助具に関する。
【背景技術】
【０００２】
網戸は、その枠体の内側に張設される網自体の剛性が低い。また、網戸は、出口窓などに配置されており、犬などの愛玩動物や子供などが不意に寄りかかってしまいその網が破れてしまう場合がある。網戸が破損した場合、その網を交換する必要があり、その展張作業も含め交換作業は煩雑である。そのため、網戸の網が破損しないように網を強化などして破損防止策を日頃から講じることが求められる。
【０００３】
網戸や網を保護補強するものとして、網状及び格子状のものを設けたものが知られる（例えば、特許文献１参照）。すなわち、網戸は、網戸の枠体と、この枠体の内側に張設される網と、枠体の上下中央部において幅（横）方向で掛け渡される補強桟と、網を保護し枠体を補強する装置（網戸用補助具）と、から構成される。この網戸用補助具は、網状又は格子状に形成される。網戸用補助具により、外部から網自体へ接触する機会を減少することが可能とされる。
【先行技術文献】
【特許文献】
【０００４】
【特許文献１】実開昭５４−３９９４８号公報
【発明の概要】
【発明が解決しようとする課題】
【０００５】
しかしながら、上記特許文献１の網戸用補助具は、単に枠体の幅方向に延在して取り付けられる棒状体のみから単に構成されるものであり、網自体の剛性を向上されるものではなく改善の余地があった。
【０００６】
本発明は、上述した事情に鑑みてなされたものであり、簡素な構造ながら、棒状体の第１面で網に面接触して網に張力を発生させて網自体の剛性を向上させ、網が外部衝撃を受けた際にそれに対応する抑えになって網の破損を防止することができる網戸用補助具を提供する。
【課題を解決するための手段】
【０００７】
（１）
枠体と前記枠体の内側に張設される網とを有する網戸に対し、前記枠体の幅方向に延在
して取り付けられる棒状体と、
前記棒状体の幅方向両端部に設けられ、前記枠体の周縁の一部に対し着脱可能な一対の
支持部と、を有し、
前記棒状体には、前記網に対向する第１面が形成され、
前記第１面の少なくとも一部は前記網に面接触し、
前記第１面は、断面視でその中間部が前記網側に膨出する凸状曲面に形成され、前記網を押圧する、
網戸用補助具。
（２）
枠体と前記枠体の内側に張設される網とを有する網戸に対し、前記枠体の幅方向に延在して取り付けられる棒状体と、
前記棒状体の幅方向両端部に設けられ、前記枠体の周縁の一部に対し着脱可能な一対の支持部と、を有し、
前記棒状体には、前記網に対向する第１面が形成され、
前記第１面の少なくとも一部は前記網に面接触し、  前記第１面の表面には、クッション体が貼設され、
前記第１面は、前記クッション体を介して前記網に面接触する、
網戸用補助具。
【０００８】
上記（１）の構成によれば、簡素な構造ながら、棒状体の第１面で網に面接触して網に張力を発生させて網自体の剛性を向上させ、網が外部衝撃を受けた際にそれに対応する抑えになって網の破損を防止することができる。また、その第１面に模様などを施すことで美感性や注意喚起を高めることができる。また、既に設置されている網戸に対し新たな加工や部品の追加を行うことなく、かつ様々なサイズに対応して取付することができる。また、網に対して張力を積極的に発生させ、外部衝撃に対して網の破損をより一層防止することができる。
上記（２）の構成によれば、簡素な構造ながら、棒状体の第１面で網に面接触して網に張力を発生させて網自体の剛性を向上させ、網が外部衝撃を受けた際にそれに対応する抑えになって網の破損を防止することができる。また、その第１面に模様などを施すことで美感性や注意喚起を高めることができる。また、既に設置されている網戸に対し新たな加工や部品の追加を行うことなく、かつ様々なサイズに対応して取付することができる。また、網に対して張力を積極的に発生させ、外部衝撃に対して網の破損をより一層防止するとともに、外部衝撃が加わった場合、そのクッション体で衝撃を吸収することができる。
【発明の効果】
【０００９】
本発明によれば、簡素な構造ながら、棒状体の第１面で網に面接触して網に張力を発生させて網自体の剛性を向上させ、網が外部衝撃を受けた際にそれに対応する抑えになって網の破損を防止することができる。また、既に設置されている網戸に対し新たな加工や部品の追加を行うことなく、かつ様々なサイズに対応して取付することができる。
【００１０】
以上、本発明について簡潔に説明した。更に、以下に説明される発明を実施するための形態（以下「実施形態」という。）を添付の図面を参照して通読することにより、本発明の詳細は更に明確化されるだろう。
【図面の簡単な説明】
【００１１】
【図１】図１は、本発明の第１実施形態に係る網戸用補助具が取り付けられた網戸を説明する概略正面図である。
【図２】図２は、図１に示す網戸用補助具の構成を説明する上面図である。
【図３】図３は、図１に示す網戸用補助具の構成を説明する縦断面図である。
【図４】図４は、本発明の第２実施形態に係る網戸用補助具の構成を説明する縦断面図である。
【図５】図５は、実施形態の変形例に係る網戸用補助具が取り付けられた網戸を説明する概略正面図である。
【図６】図６は、図５に示す網戸用補助具の構成を説明する上面図である。
【発明を実施するための形態】
【００１２】
本発明の網戸用補助具に関する複数の実施形態について、各図を参照しながら以下に説明する。
ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、添付図面及び以下の説明は、当業者が本開示を十分に理解するために提供されるのであって、これらにより特許請求の範囲に記載の主題を限定することは意図されていない。また、各図面は符号の向きに合わせて視るものとする。
【００１３】
（第１実施形態）
まず図１〜図３を参照して、本発明に係る第１実施形態の網戸用補助具１０の構成について説明する。図１は、本実施形態に係る網戸用補助具１０が取り付けられた網戸１を説明する概略正面図である。図２は、図１に示す網戸用補助具１０の構成を説明する上面図である。図３は、図１に示す網戸用補助具１０の構成を説明する縦断面図である。
【００１４】
図１に示すように、本実施形態の網戸用補助具１０は、網戸１に取り付けられる。網戸１は、建物の窓枠に配置されるレールに横方向移動自在に規制される横開き式の窓の外側において、左右の窓のいずれかを開放した際にその開放部を覆って配置される。
【００１５】
網戸１は、矩形状の枠体２と、その枠体２の内側の空間部に対しその枠体２にその端縁が固定されて展張して設けられる網７と、を有する。網戸１の枠体２は、上下一対の横枠部３と左右一対の縦枠部４とを含んで構成され、これら枠部それぞれは、一対の板部５が平行配置されて設けられる。また、その板部５それぞれは外側に向けて延びる延出片６を有する（図２参照）。本実施形態の網戸用補助具１０は、後述するように網戸１に対し着脱自在に配設され、例えば網戸１の上下中央部の下方寄りにおいて横方向に掛け渡されて配置される。
なお、網戸用補助具１０の配置（高さ位置）は、愛玩動物や子供の身長に合致する高さとするとよい。
【００１６】
図２に示すように、網戸用補助具１０は、主に金属製部材から構成されており、網戸１に対しその枠体２の幅方向に延在して取り付けられる棒状体１１と、棒状体１１の幅方向両端部に設けられ、枠体２の板部５の延出片６（枠体２の周縁の一部）に対し着脱可能な一対の支持部１６と、を含んで構成される。棒状体１１は、断面略矩形状に形成される中空の外装部１２と、外装部１２に相似する断面略矩形状に形成され、外装部１２にその一部が収納可能に設けられる内装部１４とを有する。外装部１２は収納空間Ｒを有し、その長手方向一端口は開放され、その長手方向他端口は壁部１３により閉塞される。また、内装部１４はその一部でその表面が外装部１２の内面に摺接可能に設けられる。この摺接により、内装部１４は棒状体１１の長手方向で外装部１２に対しスライド移動可能に設けられる。このスライド移動により、棒状体１１は伸縮自在に設けられ、その全長が任意に調整される。
【００１７】
また、内装部１４の外側先端部に支持部１６の一方が配設され、外装部１２の外側先端部に支持部１６の他方が配設される。これら一対の支持部１６は横断面視でフック状に形成され、その内面には、断面Ｕ字状のゴム材１７が滑り止めとして貼設される。また、外装部１２の収納空間Ｒにおいて、外装部１２及び内装部１４との間にコイルバネＳ（弾性体）が介挿されており、コイルバネＳの一端は外装部１２の外側先端部（壁部１３の内側）に固着され、その他端は内装部１４の内側先端部（基端部）に固着される。そして、コイルバネＳは、外装部１２の壁部１３と内装部１４の基端部とが近接するように付勢されて配設される。コイルバネＳの付勢及び支持部１６のゴム材１７により、一対の支持部１６が枠体２の板部５の延出片６に引っ掛けられて取り付けられた際、網戸用補助具１０は網戸１からずれ落ちることなく安定して保持される。
【００１８】
そして、図３に示すように、本実施形態では、棒状体１１の外装部１２の裏面の一部において網７に対向する第１面１５が形成される。第１面１５は縦断面視でその中間部が網７側に膨出して滑らかに連続する凸状曲面に形成されており、第１面１５はその凸状曲面の頂部で網７を押圧して、網７に面接触する。また、第１面１５に隣接する縁部は、面取りされる。また、第１面１５は、棒状体１１の、第１面１５以外の面よりも表面粗さを低く設けられる。この面取り及び表面粗さにより、取り付ける際の、網の破損を防止することが可能となる。
【００１９】
以上説明したように本実施形態によれば、網戸用補助具１０は、枠体２と枠体２の内側に張設される網７とを有する網戸１に対し、枠体２の幅方向に延在して取り付けられる棒状体１１と、棒状体１１の幅方向両端部に設けられ、枠体２の周縁の一部に対し着脱可能な一対の支持部１６と、を有する。また、網戸用補助具１０は、棒状体１１には、網７に対向する第１面１５が形成され、第１面１５の少なくとも一部は網７に面接触する。
【００２０】
このため、簡素な構造ながら、棒状体１１の第１面１５で網７に面接触して網７に張力を発生させて網７自体の剛性を向上させ、網７が外部衝撃を受けた際にそれに対応する抑えになって網７の破損を防止することができる。また、その第１面１５に模様などを施すことで美感性や注意喚起を高めることができる。また、既に設置されている網戸１に対し新たな加工や部品の追加を行うことなく、かつ様々なサイズに対応して取付することができる。
【００２１】
また本実施形態によれば、第１面１５は、断面視でその中間部が網７側に膨出する凸状曲面に形成され、網７を押圧する。このため、網７に対して張力を積極的に発生させ、外部衝撃に対して網７の破損をより一層防止することができる。
【００２２】
（第２実施形態）
次に図４を参照して、本発明の第２実施形態に係る網戸用補助具１０について説明する。図４は、本実施形態に係る網戸用補助具１０の構成を説明する縦断面図である。
なお、上記第１実施形態と同一又は同等部分については、文中又は図面に同一或いは同等符号を付してその説明を省略或いは簡略化する。
【００２３】
本実施形態では、第１面２５は凸状曲面に形成されず、その代わり第１面２５の表面には、クッション体Ｃが貼設される。第１面２５は、そのクッション体Ｃを介して網戸１の網７に面接触する。
【００２４】
以上説明したように本実施形態によれば、第１面２５の表面には、クッション体Ｃが貼設され、第１面２５は、クッション体Ｃを介して網７に面接触する。このため、網７に対して張力を積極的に発生させ、外部衝撃に対して網７の破損をより一層防止するとともに、外部衝撃が加わった場合、そのクッション体Ｃで衝撃を吸収することができる。
【００２５】
（変形例）
図５及び図６を参照して、上記実施形態の変形例について説明する。図５は、実施形態の変形例に係る網戸用補助具１０が取り付けられた網戸１を説明する概略正面図である。図６は、図５に示す網戸用補助具１０の構成を説明する上面図である。
【００２６】
図５及び図６に示すように、本変形例では、網戸用補助具１０は網戸１にボルトＢを用いて固定保持される。本変形例の網戸用補助具１０には、コイルバネＳが設けられない。その代わりに、外装部１２の外側先端部の支持部１６付近部分で、表裏方向に沿って貫通する螺合孔Ｈが形成される。同様に内装部１４の外側部の支持部１６付近部分も同様に、表裏方向に沿って貫通する螺合孔Ｈが形成される。
【００２７】
そして、本変形例の網戸用補助具１０は、例えば外装部１２又は内装部１４の支持部１６が枠体２の板部５の延出片６に引っ掛けられた状態で、外装部１２又は内装部１４がスライド移動されて棒状体１１の長さが調整される。この長さの調整により、その他方の支持部１６が枠体２の板部５の延出片６に引っ掛けられる。このように一対の支持部１６が引っ掛けられた状態で、一対の螺合孔ＨにボルトＢが螺合結合するとともに、そのボルトＢの先端面が枠体２の表面に当接する。また、ボルトＢの先端面と枠体２との間にはゴム材１７が介挿されており、ボルトＢはゴム材１７を介して枠体２に当接することになる。この当接により、網戸用補助具１０は、その全長が調整された状態で網戸１に強固に固定保持される。また、ボルトＢの先端面と枠体２との間に介挿されるゴム材１７が緩衝材となって、枠体２の延出片６がその固定によって破損することを防止する。
【００２８】
以上で具体的実施形態の説明を終えるが、本発明の態様は上記実施形態に限定されるものではなく、適宜、変形、改良などが可能である。
例えば、上記実施形態の棒状体には、網部の面方向に対し交差する方向に沿って貫通穴が形成されてもよい。この場合、網戸用補助具の取付に伴う通気性の悪化を防止することができる。
また、上記実施形態の網戸用補助具は、主に金属製部材から構成され、例えば鉄、ステンレス、アルミなどの種々の金属材料を用いることが可能である。また、金属材料に限定されず、その他、合成樹脂（プラスチック）材料も適宜採用することも可能である。
【符号の説明】
【００２９】
１    ：網戸
２    ：枠体
３    ：横枠部
４    ：縦枠部
５    ：板部
６    ：延出片
７    ：網
１０  ：網戸用補助具
１１  ：棒状体
１２  ：外装部
１３  ：壁部
１４  ：内装部
１５  ：第１面
１６  ：支持部
１７  ：ゴム材
２５  ：第１面
Ｂ    ：ボルト
Ｃ    ：クッション体
Ｈ    ：螺合孔
Ｒ    ：収納空間
Ｓ    ：コイルバネ
【要約】
【課題】簡素な構造ながら、棒状体の第１面で網に面接触して網に張力を発生させて網自体の剛性を向上させ、網が外部衝撃を受けた際にそれに対応する抑えになって網の破損を防止することができる網戸用補助具を提供する。
【解決手段】網戸用補助具１０は、枠体２と枠体２の内側に張設される網７とを有する網戸１に対し、枠体２の幅方向に延在して取り付けられる棒状体１１と、棒状体１１の幅方向両端部に設けられ、枠体２の周縁の一部に対し着脱可能な一対の支持部１６と、を有する。また、網戸用補助具１０は、棒状体１１には、網７に対向する第１面１５が形成され、第１面１５の少なくとも一部は網７に面接触する。
【選択図】図２【図１】
0006681511.tif 000002
【図２】
0006681511.tif 000003
【図３】
0006681511.tif 000004
【図４】
0006681511.tif 000005
【図５】
0006681511.tif 000006
【図６】
0006681511.tif 000007